(57)【要約】      （修正有）【課題】建築物の高い位置で三脚を使用せずにレーザー墨出し器から標準に合う水平なレーザー光線を確認することができるレーザー墨出し器用エレベータマグネット基台を提供する。【解決手段】基台３に設けた取付けアーム５に取付けたエレベーター１０の操作ハンドル７によって上下移動するエレベーターの可動軸上端に取付けた雲台８にレーザー墨出し器を設置し、ツマミ２の操作で基台３に取り付けたマグネット１を鉄柱の側面に吸着させて固定して、レーザー墨出し器を高い鉄柱の側面に設置する。ハンドル７操作によりエレベーター移動軸上の雲台８の位置の微妙な移動調整を可能にする。【選択図】図２
0003194407.tif 000002
【実用新案登録請求の範囲】
【請求項１】
基台３に設けた取付けアーム５に取付けたエレベーター１０のハンドル７操作で上下移動するエレベーターの上下可動軸６上端にレーザー墨出し器設置用の雲台８を取付け、基台３の底面にマグネット１を取付け、マグネット操作ツマミでレーザー墨出し器を設置する高い鉄柱の側面にマグネット１を吸着させて固定し、エレベーターの上下可動軸の取付け固定ネジ９を設け、上下可動軸上端の雲台８に設置したレーザー墨出し器の位置の微妙な上下移動調整を可能にしたことを特徴とするレーザー墨出し器用エレベーターマグネット基台。
【考案の詳細な説明】
【技術分野】
【０００１】
本考案は、建築物の鉄柱の高所において、建築現場の鉄柱にマグネットを吸着して取付けるエレベーター基台にエレベーターの上下可動軸を設け、その上端に設けた雲台に水平線の観測確認をするためのレーザー墨出し器を設置するためのレーザー墨出し器用エレベーターマグネット基台に関するものである。操作者は、建築物の高所であって鉄柱の側面に基台のマグネットを吸着して、基台のエレベーターの上下可動軸上端の雲台にレーザー墨出し器を設置して操作し、操作が終了すればエレベーターの上下可動軸上端の雲台からそこに設置したレーザー墨出し器の取り外し並びに鉄柱の側面から基台の取り外しが容易なレーザー墨出し器用エレベータマグネット基台である。
【背景技術】
【０００２】
建築現場において標準の水平線を確認するためにレーザー墨出し器が使用される。通常は開脚した三脚上の雲台にレーザー墨出し器を設置して操作し、或いは建築物の高いところでは三脚を使えない。
レーザー墨出し器の設置部として三脚上に取り付けた雲台が実用に供されている。しかし実用の雲台は、三脚の台座の上に取り付けた雲台にレーザー墨出し器を設置して使用をされるものである。三脚の台座を鉄柱上に置いて、例えば、鉄骨造り建築物に使用されている鉄柱の高所でレーザー墨出し器を設置して水平線を確認する場合には、三脚を建築物の高所上に持ち上げて雲台にレーザー墨出し器を設置して使用しなければならない。このために、鉄柱の上に三脚を置いて雲台上にレーザー墨出し器を設置してレーザー墨出し水平線の高さを微調整することは、難しい問題である。
【０００３】
しかし、  高所に三脚を設置してレーザー墨だし器を操作しようとする場合に、高所に広い場所があることを必要とする。更に三脚を高所でレーザー墨出し器の設置のために供するときには、比較的高い位置に広い視野と高い位置でレーザー墨出し水平線を実現し且つ手作業によって微調整の振れを生じにくくするため、高所に於ける設置面積を十分に確保して、三脚の雲台上にレーザー墨出し器を設置して、微調整する課題を解決することが必要である。
図１は、基台の正面図により、鉄柱の側面に基台の底面に取り付けたマグネットを吸着した基台とエレベーター取付アームに取付けたエレベーターの上下移動軸の位置関係を示したものであり、３は基台、１０はエレベーター、６はエレベーターの上下可動軸、７はエレベーターの上下可動軸の高さ調整ハンドル、９はエレベーター上下可動軸の取付固定ネジを表す。鉄柱の側面にマグネットを吸着して、基台を取付け、エレベーターの上下可動軸上端に取り付けた雲台にレーザー墨出し器を設置することで、レーザー墨出し器から発せられた水平線を標準の高さに合わせ微調整する。
【先行技術文献】
【特許文献】
【０００４】
【特許文献１】特開２００５−４９１９８号公報
【特許文献２】特開２００４−４５２４０号公報
【特許文献３】特開２０００−２４６６７３号公報
【特許文献４】登録実用新案第３１０１６１０号公報
【考案の概要】
【考案が解決しようとする課題】
【０００５】
解決しようとする問題点は、レーザー墨出し器を鉄骨造り建築物の鉄柱の側面に設置して操作者がそれを操作してレーザー光線を照射する場合において、三脚を設置する場所が無くて、操作者にとって障害となる。従って、レーザー墨出し器を鉄骨造り建築物の高所に固定することができない点である。
【課題を解決するための手段】
【０００６】
本考案は、レーザー墨出し器を設置する建築物の鉄柱の側面にレーザー墨出し器を設置するため、基台の底面に設けたマグネットを鉄柱に吸着して固定し、鉄柱側面の適位置に基台を安定させて、鉄柱側面に固定し基台のエレベーター取付けアームに取付けたエレベーターの上下可動軸の上端に設けた雲台上にレーザー墨出し器を設置することを最も主要な特徴とする。
【考案の効果】
【０００７】
本考案のレーザー墨出し器用エレベータマグネット基台は、鉄柱の側面にマグネットを吸着して固定し、高所にある鉄柱の側面に固定させた基台に取付けアームで固定したエレベーターの上下可動軸取付け固定ネジを緩めて高さ調整ハンドルで上下して、レーザー墨出し器の高さを上下移動して調整してレーザー光線の照射位置を決め、取付け固定ネジを締めて、鉄柱の側面で常に水平線を定めることができるので、建築物の高い位置で三脚を使用せずにレーザー墨出し器から標準に合う水平なレーザー光線を確認することができるという利点がある。
【図面の簡単な説明】
【０００８】
【図１】図１はレーザー墨出し器用エレベータマグネット基台の正面の実施方法を示した説明図である。（実施例１）
【図２】図２はレーザー墨出し器用エレベータマグネット基台の側面の実施方法を示した説明図である。（実施例１）
【図３】図３はレーザー墨出し器用エレベータマグネット基台の平面の実施方法を示した説明図である。（実施例１）
【考案を実施するための形態】
【０００９】
建築物の可能な限り高所にある鉄柱の側面の位置からレーザー墨出し器からのレーザー光線を標準にあわせて照射するという目的を、基台に取付けたマグネットとエレベーターでレーザー墨出し器の設置場所を確保し、場所を広く必要とする三脚を用いずに実現した。
【実施例１】
【００１０】
図１は、本考案装置の１実施例の正面図であって、１はマグネット、２はマグネット操作ツマミ、３は基台、４は安全ロープ取付用リング、５はエレベーターの取付アーム、６はエレベーターの上下可動軸、７はエレベーター可動軸の高さ調整ハンドル、８はレーザー墨出し器の取付用雲台、９はエレベーター上下可動軸の取付固定ネジ、１０はエレベーターである。符号の１〜１０は図２、図３と同様である。
【００１１】
本考案に係るレーザー墨出し器用エレベーターマグネット基台は、レーザー墨出し器を設置する建築物の鉄柱の側面の適位置に基台の底面に取付けたマグネットを吸着して、基台を鉄柱の側面に固定し、基台の取付アームに取付けたエレベーターの上下可動軸上端の雲台にレーザー墨出し器を設置する。このため、鉄柱側面の適位置に基台３のマグネット操作ツマミ２により底面に設けたマグネット１を鉄柱の側面に吸着して固定し、基台３を鉄柱の側面に安定させて、基台３のエレベーター取付けアーム５に取付けたエレベーターの上下可動軸６の上端に取付けてある雲台８上にレーザー墨出し器を設置する。
【００１２】
基台３の底面にはマグネット１を取付けてあり、基台を鉄柱に固定して使用するに際してマグネット操作ツマミ２を回転して、マグネット１を基台３の底面から突出させて鉄柱の側面に吸着することができる。基台３を使用しなくなった場合には、雲台８よりレーザー墨出し器を取り外して、マグネット操作ツマミ２を回転してマグネット１を基台３の底面へ格納して、鉄柱から基台３を取り外すことができる。
【００１３】
基台３の側面に安全ロープ取付リング４を設けて、安全ロープ取り付けリング４にロープの一端を繋ぎロープの他端を鉄柱に結び付けて、基台３の落下による危険の発生を予防する。建築物の中では高所から基台の落下による危険を避けるために安全ロープを使って、本考案に係るレーザー墨出し器用エレベーターマグネット基台が落下しないように注意して、レーザー墨出し器を設置し、レーザー墨出し器の操作を慎重にすることが是非必要である。
【００１４】
基台３に取付けアーム５で固定したエレベーター１０の上下可動軸取付け固定ネジ９を緩めて、基台３の側面に設けた高さ調整ハンドル７でエレベーター１０の上下可動軸６の高さを上昇又は下降させて、レーザー光線の照射位置を調整して、取付け固定ネジ９を締めて、上下可動軸上端の雲台８に設置したレーザー墨出し器の高さを決め、レーザー墨出し器のレーザー水平線を標準に合わせて工事位置を特定することができる。
【００１５】
基台３は、マグネット操作ツマミ２を操作して鉄柱の適位置まで移動させて、マグネット１の吸着で適位置に固定することが容易である。
【００１６】
従って、操作者には建築物中の位置でもマグネット操作ツマミ２の操作で基台を移動ができて、レーザー墨出し器からの水平線の高さの位置決め、操作者が三脚を用いなくても、レーザー墨出し器を高所へ設置することを容易にする効果がある。
【産業上の利用可能性】
【００１７】
鉄柱があれば、建築物の高所であっても基台に取付けたマグネットを操作して、容易に基台の取り付け位置を変更することが可能になり、高い鉄柱の側面にマグネットを吸着して、雲台に設置したレーザー墨出し器を基台の取付けアームに取付けたエレベーターの操作ハンドルによって、エレベーターの上下可動軸を上下移動することができる。
エレベーターの上下可動軸の上端に取付けた雲台上にレーザー墨出し器を設置して取り付け、エレベーターの上下可動軸の移動によるレーザー墨出し器の位置の微調整ができる。建築物の中で操作者によるハンドル操作によりエレベーター上の雲台の位置の微妙な移動調整が不可欠な用途に適用できる。
【符号の説明】
【００１８】
１    マグネット
２    マグネット操作ツマミ
３    基台
４    安全ロープ取付用リング
５    エレベーターの取付けアーム
６    エレベーターの上下可動軸
７    エレベーターの高さ調整ハンドル
８    雲台
９    エレベーターの上下可動軸の取付固定ネジ
１０    エレベーター
【図１】
0003194407.tif 000003
【図２】
0003194407.tif 000004
【図３】
0003194407.tif 000005